(57)【要約】【課題】キャップを開閉する作業を容易化することができるスパウトを提供する。【解決手段】スパウトは、中空の円筒形状を有する筒部と、筒部の外周面に設けられたフランジ部と、を備えている。フランジ部には、筒部に向かって窪んだ凹部が形成されている。【選択図】図１
2018087046.tif 000002
【特許請求の範囲】
【請求項１】
流動性を有する内容物を収容するパウチに取り付けられるスパウトであって、
中空の円筒形状を有する筒部と、
前記筒部の外周面に設けられた第１フランジ部と、
前記第１フランジ部よりも、前記スパウトに取り付けられるキャップ側に位置する第２フランジ部と、を備え、
前記第１フランジ部及び前記第２フランジ部には、前記筒部に向かって窪んだ凹部が形成されており、
前記パウチは、第１面と、前記第１面に対向する第２面と、を含み、
前記第１フランジ部及び前記第２フランジ部は、前記パウチの前記第１面側で延びる第１縁部と、前記パウチの前記第２面側で延びる第２縁部と、を含み、
前記凹部は、前記第１縁部および前記第２縁部の両方に形成されている、スパウト。
【請求項２】
前記凹部は、前記第１縁部または前記第２縁部の中央部に位置する第１部分と、前記第１部分の両端に接続され、前記第１縁部または前記第２縁部のうち直線状に延びる部分に合流する一対の第２部分と、を含み、
前記凹部の前記第１部分および前記第２部分のいずれも、湾曲した部分を有する、請求項１に記載のスパウト。
【請求項３】
第１面と、前記第１面に対向する第２面と、を含み、流動性を有する内容物を収容するパウチと、
前記パウチに取り付けられたスパウトと、
前記スパウトに着脱自在に取り付けられたキャップと、を備え、
前記スパウトは、中空の円筒形状を有する筒部と、前記筒部の外周面に設けられた第１フランジ部と、前記第１フランジ部よりも前記キャップ側に位置する第２フランジ部と、を備え、
前記第１フランジ部及び前記第２フランジ部には、前記筒部に向かって窪んだ凹部が形成されており、
前記パウチは、第１面と、前記第１面に対向する第２面と、を含み、
前記第１フランジ部及び前記第２フランジ部は、前記パウチの前記第１面側で延びる第１縁部と、前記パウチの前記第２面側で延びる第２縁部と、を含み、
前記凹部は、前記第１縁部および前記第２縁部の両方に形成されている、スパウト付きパウチ。
【発明の詳細な説明】
【技術分野】
【０００１】
本発明は、中空の円筒形状を有する筒部と、筒部の外周面に設けられたフランジ部と、を備えたスパウトに関する。また本発明は、スパウトが取り付けられたスパウト付きパウチに関する。
【背景技術】
【０００２】
自立性袋、ガゼット型袋等の種々の形態からなる、プラスチック製の軟包装材から構成された袋容器（以下、パウチとも称する）が知られている。パウチは、例えば、ジュース類、果汁類、ゼリー状飲料、栄養ドリンク剤等の飲料品や、調味料、その他種々の飲食品などの、流動性を有する内容物を収容するために利用されている。
【０００３】
特に近年、これらのパウチにおいては、その開封を容易にし、かつ内容物の飲料を容易に、あるいは、内容物を注ぎやすくするために、パウチの上部にスパウトを取り付けてなるスパウト付きパウチが提案されている。スパウトは、パウチの内部に連通する貫通孔が形成された筒部を有している。また、パウチ内の内容物を一度では使い切らないような用途の場合、スパウトは、スパウトの貫通孔を封止するキャップが脱着され得るように構成されている。例えば特許文献１〜３は、キャップが螺着され得るよう構成されたスパウトが取り付けられたパウチを開示している。
【先行技術文献】
【特許文献】
【０００４】
【特許文献１】特開２０００−７００２号公報
【特許文献２】特許第４６２９４２８号公報
【特許文献３】特許第４９１５０８７号公報
【発明の概要】
【発明が解決しようとする課題】
【０００５】
内容物が充填される前のパウチの搬送や位置決めを容易にするため、スパウトの筒部の外周面に、筒部の軸方向に直交する方向に延びるフランジ部が設けられることがある。この場合、消費者がキャップを開閉するとき、通常は消費者は、一方の手の指でスパウトのフランジ部を挟圧することによってパウチを保持し、他方の手でキャップを回転させる。
一方、フランジ部の厚みは通常は指の寸法に比べて極めて小さいので、消費者がキャップを開閉するとき、フランジ部が消費者の指に食い込むことになり、このため消費者に対して痛みや不快感を生じさせることがある。このような痛みや不快感は、キャップが頻繁に開閉される場合により顕著になる。
【０００６】
本発明は、このような課題を効果的に解決し得るスパウトおよびスパウト付きパウチを提供することを目的とする。
【課題を解決するための手段】
【０００７】
本発明は、流動性を有する内容物を収容するパウチに取り付けられるスパウトであって、中空の円筒形状を有する筒部と、前記筒部の外周面に設けられたフランジ部と、を備え、前記フランジ部には、前記筒部に向かって窪んだ凹部が形成されている、スパウトである。
【０００８】
本発明によるスパウトにおいて、スパウトが取り付けられる前記パウチは、第１面と、前記第１面に対向する第２面と、を含み、前記フランジ部は、前記パウチの前記第１面側で延びる第１縁部と、前記パウチの前記第２面側で延びる第２縁部と、を含み、前記凹部は、前記第１縁部または前記第２縁部の少なくとも一方に形成されていてもよい。
【０００９】
本発明によるスパウトにおいて、前記凹部は、前記第１縁部または前記第２縁部の中央部に位置する第１部分と、前記第１部分の両端に接続され、前記第１縁部または前記第２縁部のうち直線状に延びる部分に合流する一対の第２部分と、を含み、前記凹部の前記第１部分および前記第２部分のいずれも、湾曲した部分を有していてもよい。
【００１０】
本発明は、第１面と、前記第１面に対向する第２面と、を含み、流動性を有する内容物を収容するパウチと、前記パウチに取り付けられたスパウトと、前記スパウトに着脱自在に取り付けられたキャップと、を備え、前記スパウトは、中空の円筒形状を有する筒部と、前記筒部の外周面に設けられたフランジ部と、を備え、前記フランジ部には、前記筒部に向かって窪んだ凹部が形成されている、スパウト付きパウチである。
【発明の効果】
【００１１】
本発明によれば、スパウトの筒部の外周面に設けられたフランジ部には、筒部に向かって窪んだ凹部が形成されている。このため、消費者がその手の指でフランジ部を挟圧する際に、フランジ部が消費者の指に食い込むことを抑制することができる。このため、キャップを開閉する際に消費者に対して痛みや不快感を生じさせてしまうことを抑制することができる。また、フランジ部に対して消費者が大きな挟圧力を加え易くなるため、キャップを開閉する作業を容易化することができる。
【図面の簡単な説明】
【００１２】
【図１】図１は、本発明の実施の形態において、スパウトが取り付けられたスパウト付きパウチを示す正面図。
【図２】図２は、本発明の実施の形態によるスパウトを示す正面図。
【図３】図３は、本発明の実施の形態によるスパウトを示す側面図。
【図４】図４は、本発明の実施の形態によるスパウトを示す平面図。
【図５】図５は、本発明の実施の形態によるスパウトを示す縦断面図。
【図６】図６は、本発明の実施の形態によるスパウトを示す横断面図。
【図７Ａ】図７Ａは、本発明の実施の形態の一変形例によるスパウトを示す横断面図。
【図７Ｂ】図７Ｂは、図７Ａに示すスパウトの凹部を拡大して示す横断面図。
【図８】図８は、本発明の実施の形態の一変形例によるスパウトを示す横断面図。
【図９】図９は、本発明の実施の形態の一変形例によるスパウトを示す横断面図。
【発明を実施するための形態】
【００１３】
以下、図１乃至図６を参照して、本発明の実施の形態について説明する。まず図１を参照して、スパウト付きパウチ１０全体について説明する。図１は、本実施の形態によるスパウト付きパウチ１０を示す正面図である。
【００１４】
スパウト付きパウチ
図１に示すように、スパウト付きパウチ１０は、第１フィルム１によって形成された第１面１１と第２フィルム２によって形成された第２面１２とを含むパウチ１０と、パウチ１０の上部の中央部に取り付けられたスパウト３０と、スパウト３０に着脱自在に取り付けられたキャップ５０と、を備えている。以下、パウチ１０、スパウト３０およびキャップ５０についてそれぞれ説明する。
【００１５】
（パウチ）
パウチ１０は、流動性を有する内容物を収容するためのものである。流動性を有する限りにおいて、本体部１１の充填部１２に充填される内容物が特に限られることはない。例えば、充填部１２に充填されている内容物として、ジュース類、果汁類、ゼリー状飲料、栄養ドリンク剤等の飲料品や、液体状または粉末状の調味料、その他種々の飲食品等を挙げることができる。
【００１６】
パウチ１０は例えば、第１面１１と第２面１２とが対向するように第１フィルム１および第２フィルム２を互いに熱溶着などによって接合することによって構成されている。第１フィルム１とは、パウチ１０の表面（図１に示されている側の面）を構成するフィルムのことであり、第２フィルム２とは、パウチ１０の裏面（表面の裏側にある面）を構成するフィルムのことである。図１において、第１フィルム１および第２フィルム２のうち熱溶着によって形成されたシール部が符号１４で示されている。また、シール部１４によって囲われた、内容物が収容される充填部が符号１３で示されている。なおパウチ１０の製造工程において、第１フィルム１および第２フィルム２は、互いに分離された別個のフィルムとして準備されてもよく、若しくは、一連のフィルムとして準備されてもよい。
【００１７】
内容物や気体を適切に密封することができる限りにおいて、パウチ１０のタイプが特に限られることはない。例えばパウチ１０は、第１フィルム１と第２フィルム２との間にマチが設けられる、いわゆるガセット式のパウチとして構成されていてもよい。そのようなマチは、パウチ１０の底部に設けられていてもよく、若しくはパウチ１０の側部に設けられていてもよい。本実施の形態においては、パウチ１０が、その側部にマチが設けられたいわゆるサイドガセット式のパウチである例について説明する。この場合、パウチ１０の両側部において、第１フィルム１と第２フィルム２との間にそれぞれ、二つ折りにされた第３フィルムおよび第４フィルムが挟み込まれる。これら第３フィルムおよび第４フィルムによって、マチ付きの側部が構成される。図１においては、二つ折りにされた第３フィルムおよび第４フィルムの折れ目がそれぞれ、符号３ａおよび４ａが付された点線で示されている。
【００１８】
図１に示すように、各フィルムを熱溶着することによって構成されるシール部１４は、パウチ１０の底部を構成する底部シール部１６と、パウチ１０の一方の側部に沿って上下方向に延びる第１側部シール部１７と、パウチ１０の他方の側部に沿って上下方向に延びる第２側部シール部１８と、パウチ１０の上部を構成する上部シール部１５と、を含んでいる。このうち第１側部シール部１７は、第１フィルム１および第３フィルム、並びに第２フィルム２および第３フィルムを互いに熱溶着することによって構成されたシール部である。また第２側部シール部１８は、第１フィルム１および第４フィルム、並びに第２フィルム２および第４フィルムを互いに熱溶着することによって構成されたシール部である。また上部シール部１５および底部シール部１６は、第１フィルム１および第３フィルム、第２フィルム２および第３フィルム、並びに第１フィルム１および第２フィルム２を互いに熱溶着することによって構成されたシール部である。なお上部シール部１５は、第１フィルム１とスパウト３０とを熱溶着することによって構成された部分、および、第２フィルム２とスパウト３０とを熱溶着することによって構成された部分をさらに含んでいる。
【００１９】
（スパウト）
次にスパウト３０について、図２乃至図６を参照して説明する。図２、図３および図４はそれぞれ、パウチ１０に取り付けられておらず、かつキャップ５０が取り付けられていない状態のスパウト３０を示す正面図、側面図および平面図である。また図５は、パウチ１０の第１面１１および第２面１２に沿う平面によってスパウト３０を上下方向に切断した場合を示す縦断面図である。また図６は、スパウト３０の後述する第１フランジ部３３を水平方向に切断した場合を示す横断面図である。なお「上下方向」および「水平方向」という表現は、スパウト付きパウチ１０を水平面上に直立させた場合を基準とした表現である。
【００２０】
スパウト３０は、中空の円筒形状を有する筒部３１と、筒部３１の外周面に設けられたフランジ部と、を備えている。図４に示すように、筒部３１には貫通孔３１ａが形成されており、この貫通孔３１ａを介して、パウチ１０に収容された内容物が外部に注出される。本実施の形態において、スパウト３０は、パウチ１０に最も近接する第１フランジ部３３と、第１フランジ部３３よりもキャップ５０側に位置する第２フランジ部３５と、第２フランジ部３５よりもキャップ５０側に位置する第３フランジ部３７と、を含んでいる。なお図示はしないが、筒部３１の外周面に設けられるフランジの数が特に限られることはない。例えば、フランジの数は１や２であってもよく、若しくは４以上であってもよい。各フランジ３３，３５，３７の厚みは、例えば０．３〜２．０ｍｍの範囲内になっている。
【００２１】
次に、筒部３１の軸方向に沿って見た場合の、すなわちスパウト付きパウチ１０を上方から見た場合の各フランジ３３，３５，３７の形状について説明する。図４に示すように、各フランジ３３，３５，３７は、パウチ１０の第１面１１側で延びる第１縁部３３ａ，３５ａ，３７ａと、パウチ１０の第２面１２側で延びる第２縁部３３ｂ，３５ｂ，３７ｂと、第１縁部３３ａ，３５ａ，３７ａと第２縁部３３ｂ，３５ｂ，３７ｂとの間に延びる第３縁部３３ｃ，３５ｃ，３７ｃおよび第４縁部３３ｄ，３５ｄ，３７ｄと、を含んでいる。第１縁部３３ａ，３５ａ，３７ａおよび第２縁部３３ｂ，３５ｂ，３７ｂはそれぞれ、パウチ１０の上部シール部１５が延びる方向と略平行に延びている。また第３縁部３３ｃ，３５ｃ，３７ｃおよび第４縁部３３ｄ，３５ｄ，３７ｄは、スパウト付きパウチ１０を上方から見た場合にパウチ１０の上部シール部１５と交差するように延びている。なお、各縁部は、異なる方向に延びる複数の直線や曲線を含んでいてもよい。従って、ここで使用されている「平行」等の用語は、例えば第１縁部３３ａ，３５ａ，３７ａや第２縁部３３ｂ，３５ｂ，３７ｂの各々の細部（後述する凹部など）を無視した場合の、全体的な延びる方向を表すものである。
【００２２】
第１縁部３３ａ，３５ａ，３７ａおよび第２縁部３３ｂ，３５ｂ，３７ｂのうち、とくに第１フランジ部３３の第１縁部３３ａおよび第２縁部３３ｂ、並びに第２フランジ部３５の第１縁部３５ａおよび第２縁部３５ｂは、消費者がキャップ５０を開閉する際に消費者の手の指によって挟圧されることが想定されている部分である。図４および図６等に示すように、第１縁部３３ａ，３５ａおよび第２縁部３３ｂ，３５ｂから筒部３１までの距離は、第３縁部３３ｃ，３５ｃおよび第４縁部３３ｄ，３５ｄから筒部３１までの距離に比べて小さくなっていてもよい。これによって、キャップ５０を開閉する際にスパウト３０の筒部３１をより安定に保持することができる。
【００２３】
スパウト３０には、上述の筒部３１や各フランジ３３，３５，３７以外にも様々な要素が設けられ得る。例えばスパウト３０は、第１フランジ部３３よりもパウチ１０側の位置において筒部３１の外周面に設けられた取付部４１をさらに有していてもよい。図１および図３等から分かるように、取付部４１は、パウチ１０を構成する第１フィルム１および第２フィルム２に沿って延びる板状の部分として構成されている。この取付部４１は、スパウト３０をパウチ１０に取り付ける際にパウチ１０の第１フィルム１および第２フィルム２に対して熱溶着される。従って、このような取付部４１を設けることにより、スパウト３０のうちパウチ１０に熱溶着される部分の面積を増加させることができる。また、取付部４１は各フィルム１，２に沿って延びているので、取付部４１と各フィルム１，２との間を熱溶着する作業が容易になる。従って、取付部４１を設けることにより、パウチ１０とスパウト３０との間での熱溶着をより強固なものとすることができる。
【００２４】
また、キャップ５０がスパウト３０に螺着される場合、スパウト３０の筒部３１の外周面のうち第３フランジ部３７よりもキャップ５０側に位置する部分には、キャップ５０の内周面に設けられたネジ山と係合するネジ山３９が設けられている。
【００２５】
（キャップ）
次にキャップ５０について、図１を参照して説明する。図１に示すように、キャップ５０は、スパウト３０の筒部３１に対して脱着自在な第１部分５１を含んでいる。脱着の方式が上述のように螺着である場合、第１部分５１の内周面には、スパウト３０の筒部３１の上述のネジ山３９と係合するネジ山（図示せず）が設けられている。
【００２６】
またキャップ５０は、図１に示すように、第１部分５１よりもパウチ１０側に位置する第２部分５２をさらに含んでいてもよい。第２部分５２は、キャップ５０の第１部分５１の不正な開封を防止するためのものであり、いわゆるピルファープルーフバンドとして機能するものである。第２部分５２が設けられる場合、第１部分５１と第２部分５２との間には、第１部分５１と第２部分５２とを結合する結合部５３が設けられる。この結合部５３が破断されているかどうかを確認することにより、キャップ５０の不正な開封が生じていたかどうかを判断することができる。
【００２７】
またキャップ５０が第２部分５２を有する場合、スパウト３０は、図２、図３や図５等に示すように、キャップ５０の第２部分５２を係止するためのラチェット部４３をさらに有していてもよい。この場合、キャップ５０の第２部分５２の内周面には、ラチェット部４３の外縁よりも筒部３１側の位置まで突出した突出部が設けられていてもよい。この場合、キャップ５０の第２部分５２の突出部がスパウト３０のラチェット部４３によって係止されることにより、キャップ５０から結合部５３が破断され、キャップ５０の不正な開封が生じていたかどうかを判断することができる。
【００２８】
ところで、キャップ５０を開閉する際に消費者の手の指によって挟圧される第１フランジ部３３および第２フランジ部３５の厚みは、指の寸法に比べて極めて小さい。このため、消費者がキャップ５０を開閉するとき、フランジ部３３，３５が消費者の指に食い込むことになり、このため消費者に対して痛みや不快感を生じさせることがある。この結果、キャップ５０を開閉する際にフランジ部３３，３５を強く挟圧することが困難になる。このことは、キャップ５０をスパウト３０に螺着させる際にキャップ５０の締めこみが不十分になってしまうことを導く。
【００２９】
このような課題を考慮し、本実施の形態においては、フランジ部３３，３５に、指の腹に沿った形状を有する凹部を形成することを提案する。なお第１フランジ部３３および第２フランジ部３５に形成される凹部の形状はいずれも略同一である。従って、ここでは、第１フランジ部３３に形成される凹部３４の形状についてのみ説明し、第２フランジ部３５に形成される凹部３６（図２参照）についての説明を省略する。
【００３０】
図６に示すように、第１フランジ部３３の第１縁部３３ａおよび第２縁部３３ｂにはそれぞれ、筒部３１に向かって窪んだ凹部３４が形成されている。各凹部３４は、図６に示すように、第１縁部３３ａまたは第２縁部３３ｂの中央部に位置する第１部分３４ａと、第１部分３４ａの両端に接続され、第１縁部３３ａまたは第２縁部３３ｂのうち直線状に延びる部分に合流する一対の第２部分３４ｂと、を含んでいる。
【００３１】
このうち第１部分３４ａは、筒部３１に向かって曲率半径Ｒ１で凸となる、湾曲した部分（以下、湾曲部分とも称する）として構成されている。第１部分３４ａの形状や、曲率半径Ｒ１の具体的な値は、人の指の腹の一般的な曲率半径および寸法や、スパウト付きパウチ１０の重量等に応じて適宜定められる。例えば、一方の第２部分３４ｂから他方の第２部分３４ｂまでの幅Ｗが５〜３０ｍｍの範囲内、より好ましくは８〜２０ｍｍの範囲内になり、第２縁部３３ｂから凹部３４の最深部までの深さＤが０．５〜２０ｍｍの範囲内になるよう、第１部分３４ａの形状が定められる。また本実施の形態において、第２部分３４ｂは、縁部３３ａ，３３ｂの直線状の部分と凹部３４とが所定の角度で合流するよう構成されている。
【００３２】
以下、このような凹部を形成することによって得られる効果について説明する。本実施の形態によれば、フランジ部３３，３５に凹部３４，３６を形成することにより、消費者がその手の指でフランジ部３３，３５を挟圧する際に、フランジ部３３，３５が消費者の指に食い込むことを抑制することができる。このため、キャップ５０を開閉する際に消費者に対して痛みや不快感を生じさせてしまうことを抑制することができる。また、フランジ部３３，３５に対して消費者が大きな挟圧力を加え易くなるため、キャップ５０を開閉する作業を容易化することができる。また、キャップ５０をスパウト３０に螺着させる際に、キャップ５０を十分に締めこむことができる。
【００３３】
変形例
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００３４】
上述の本実施の形態においては、第２部分３４ｂが、縁部３３ａ，３３ｂの直線状の部分と凹部３４とが所定の角度で合流するよう構成されている例を示した。しかしながら、これに限られることはなく、図７Ａおよび図７Ｂに示すように、第２部分３４ｂは、外方に向かって（第１フランジ部３３が存在しない側に向かって）曲率半径Ｒ２で凸となる、湾曲した部分（以下、湾曲部分とも称する）として構成されていてもよい。これによって、消費者の指が第２部分３４ｂに接した際に生じ得る痛みや不快感を軽減することができる。曲率半径Ｒ２は、曲率半径Ｒ１よりも小さな値に設定され、例えば０．５〜２．０ｍｍの範囲内に設定される。なお、一対の第２部分３４ｂの湾曲部分における曲率半径Ｒ２は、同一の値であってもよく、互いに異なる値であってもよい。
【００３５】
また上述の本実施の形態においては、第１部分３４ａが湾曲部分からなる例を示したが、これに限られることはなく、第１部分３４ａは、直線状に延びる部分（以下、直線部分とも称する）をさらに含んでいてもよい。例えば図８に示すように、第１部分３４ａは、湾曲部分３４ｃと、湾曲部分３４ｃと一対の第２部分３４ｂとの間にそれぞれ位置する直線部分３４ｄと、を含んでいてもよい。また第１部分３４ａは、複数の湾曲部分と直線部分とを組み合わせることによって構成されていてもよい。例えば図９に示すように、第１部分３４ａは、第２部分３４ｂに接続された一対の直線部分３４ｄと、一対の直線部分３４ｄの間に位置するとともに第２縁部３３ｂと平行な方向に延びる直線部分３４ｅと、一対の直線部分３４ｄと直線部分３４ｅとの間に位置する一対の湾曲部分３４ｃと、を含んでいてもよい。この場合、各湾曲部分の曲率半径は、同一の値であってもよく、互いに異なる値であってもよい。
【００３６】
また上述の本実施の形態においては、第１フランジ部３３の第１縁部３３ａおよび第２縁部３３ｂの両方に凹部３４が形成される例を示したが、これに限られることはなく、第１縁部３３ａまたは第２縁部３３ｂのいずれか一方にのみ凹部３４が形成されていてもよい。
【００３７】
また上述の本実施の形態においては、３つのフランジ部３３，３５，３７のうちの第１フランジ部３３および第２フランジ部３５にそれぞれ凹部３４および凹部３６が形成される例を示したが、これに限られることはない。
例えば、第１フランジ部３３と第２フランジ部３５との間の間隔が広く、かつ、第１フランジ部３３または第２フランジ部３５のいずれか一方のみを指で挟圧することによってスパウト付きパウチ１０を十分に安定に保持できる場合等は、第１フランジ部３３または第２フランジ部３５のうちのいずれか一方にのみ凹部３４が形成されていてもよい。
また、第１フランジ部３３および第２フランジ部３５を指で挟圧する際に指が同時に第３フランジ部３７にも接する場合等は、第３フランジ部３７にも凹部が形成されていてもよい。
その他にも、筒部３１の外周部に設けられるフランジ部の数や、凹部が形成されるフランジ部の数については、様々なバリエーションが考えられる。
【００３８】
また上述の本実施の形態においては、第１フランジ部３３のうち、パウチ１０の第１面１１側にある第１縁部３３ａおよびパウチ１０の第２面１２側にある第２縁部３３ｂに凹部が形成される例を示したが、これに限られることはない。消費者がキャップ５０を開閉する際に、第１縁部３３ａおよび第２縁部３３ｂではなく第３縁部３３ｃおよび第４縁部３３ｄが指によって挟圧されることが想定される場合、第３縁部３３ｃおよび第４縁部３３ｄに凹部が形成されていてもよい。
【００３９】
また上述の本実施の形態においては、スパウト３０がパウチ１０の上部の中央部に取り付けられる例を示した。しかしながら、パウチ１０に収容されている内容物を適切に注出することができる限りにおいて、スパウト３０が取り付けられる位置が特に限られることはない。例えばスパウト３０は、図示はしないが、パウチ１０の上部と側部との間の角部においてパウチ１０に取り付けられていてもよい。
【００４０】
なお、上述した実施の形態に対するいくつかの変形例を説明してきたが、当然に、複数の変形例を適宜組み合わせて適用することも可能である。
【符号の説明】
【００４１】
１０  パウチ
１１  第１面
１２  第２面
３０  スパウト
３１  筒部
３３  第１フランジ部
３３ａ  第１縁部
３３ｂ  第２縁部
３４  凹部
３４ａ  第１部分
３４ｂ  第２部分
３４ｃ  湾曲部分
３４ｄ  直線部分
３５  第２フランジ部
３６  凹部
３７  第３フランジ部
３９  ネジ山
４１  取付部
４３  ラチェット部
５０  キャップ
５１  第１部分
５２  第２部分
５３  接続部
【図１】
2018087046.tif 000003
【図２】
2018087046.tif 000004
【図３】
2018087046.tif 000005
【図４】
2018087046.tif 000006
【図５】
2018087046.tif 000007
【図６】
2018087046.tif 000008
【図７Ａ】
2018087046.tif 000009
【図７Ｂ】
2018087046.tif 000010
【図８】
2018087046.tif 000011
【図９】
2018087046.tif 000012